(57)【要約】【課題】  これまで不燃ごみとして捨てられていた廃棄陶磁器は特願２００３−１４７０１５といった形で、再商品化できることになった。しかし、こうした新しい生産の仕組みは、それを評価する人が増え、再商品化した製品を使用する人が増えて始めて社会に定着していく。廃棄陶磁器の粉砕粉からリサイクル食器を作っていくという技術はメディアの注目を浴び、これまで廃棄処分してきた市町村の注目を浴びてはいるが、実際にこのリサイクル食器を購入し、利用していく人を増やして行きたい。これは再商品化の技術確立が試行中のその他の廃棄物にとっても課題である。【解決手段】  そこで、本願ではインターネットを使用し、ユーザが発注し、メーカが受注する受発注システムを考え、ユーザが発注するに当たって「廃棄物」をメーカに提供し、メーカは提供されたものを加工して、リサイクル原材料や製品を作り、ユーザの選択指示によって、ユーザに送り届ける仕組みをビジネスモデルとして考えた。【選択図】  図１
2006113995.tif 000002
【特許請求の範囲】
【請求項１】
循環型社会におけるインターネットを媒介としたメーカとユーザとの受発注システムに於いて、該ユーザはある種の廃棄物を提供し、該メーカは該提供された該廃棄物を加工し、製品（Ａ）を作るか、該製品Ａを１原料とする製品（Ｂ）を作り、該ユーザは該インターネットを通し、該製品（Ａ）あるいは該製品（Ｂ）を選択注文できるようにしたことを特徴とする廃棄物の再商品化にかかわるビジネスモデル
【請求項２】
前記廃棄物を廃棄陶磁器とし、前記加工を乾式粉砕による平均粒径１０数μｍへの粉砕加工や、高勾配磁力選別機による含有重金属の除去加工とし、該製品（Ａ）を再生した杯土とし、該製品（Ｂ）を該製品杯土で作った陶磁器としたことを特徴とする請求項１に示したビジネスモデル
【請求項３】
前記杯土で作った陶磁器を作成するに当たって、既成の商品モデル、創作見本モデル、ユーザ自身のデザインなどから選択できるようにした請求項２に示したビジネスモデル
【発明の詳細な説明】
【技術分野】
【０００１】  本発明はインターネットを利用した廃棄物の再商品化と販売に関する。
【背景技術】
【０００２】  平成１２年に循環型社会形成法が施行され、前後して容器包装リサイクル法や家電リサイクル法、食品リサイクル法などの循環諸法も次々と法制化され、３Ｒ（ＲＥＤＵＣＥ、ＲＥＵＳＥ、ＲＥＣＹＣＬＥ）の原則が示されてものづくりは、その廃棄処理を考えるとともに、廃棄物の再商品化や循環利用を考え、持続可能な社会へと転換しつつある。【０００３】  そうした中で、これまでは製品として使い終わった後、廃棄され焼却や埋め立てられていたものが様々な工夫を行いながら再商品化されたり、他の産業分野に利用できるように色々なところで取り組みが始まっている。【０００４】  例えば、紙は新聞紙や一定の大きさの文具用紙などを再生紙やトイレットペーパーにする取り組みから始まり、今では広告や５０ｃｍ角以上の紙は再生紙に作り変えることが出来るようになっている。当初、再生紙といえばバージンパルプを使ったものに比べて紙の色合いの面などで明らかに劣っていたが、バージンパルプを使ったものに比べても遜色ないようになり、そうした技術進歩の裏づけもあって再生紙の需要が増え、需要増が工業レベルでの技術進歩を開発投資や設備投資の上で保証して来たといえる。【０００５】  そうした中で、本件出願人らが先に出願した廃棄陶磁器（以下、廃陶磁器）の再商品化（特願２００３−１４７０１５）なども試みられてきた。【０００６】  一方、インターネットの普及によって、商売のあり方が従来のメーカ→商社→問屋→小売→ユーザといった流れから、メーカとユーザが直接取引きする形が産まれ、流通社会が大きく変わりつつある。【特許文献１】特開平９−８１６３４
【特許文献２】特開平２−１８７８５９
【特許文献３】特開平９−８１６３４
【特許文献４】特願平９−２７６４５０
【特許文献５】特願平８−５１４１２３
【特許文献６】特願平１０−２８１６４６
【特許文献７】特願２００３−１４７０１５
【非特許文献１】セラミックデータブック２０００・別刷  発行／工業製品技術協会
【発明の開示】
【発明が解決しようとする課題】
【０００７】  再生紙が今や流通する紙の過半を占めるようになった背景には、環境問題を考え、多少品質の悪いものでも利用していくといった市民の努力と、そうした努力によって徐々に拡大してきた需要に支えられた技術革新が大きな条件として働いてきた。【０００８】  では、その他の廃棄物の再商品化という点に目を移した時、循環型社会の中で再生紙のように社会的に定着して行くのはまだまだこれからである。廃陶磁器についても、世間的にようやく知られたところであり、普及、定着を計っていくのは今後の課題となる。そこで、本願では廃陶磁器のリサイクルを少しでも進めるために、インターネットを利用した受発注システムを考えた。もちろん、これは廃陶磁器に限ったことではなく、他の同種の廃棄物でも課題となる。
【課題を解決するための手段】
【０００９】  そこで、本願ではユーザが使い終わった廃棄物、例えば廃陶磁器をメーカに送り、メーカではそれを加工、例えば乾式粉砕装置で平均粒径１０μｍ以下に粉砕し、杯土をエコロジー土として作るとともに、その杯土を使った陶磁器を作り、そのユーザのインターネットを使った選択発注を受けて、ユーザの下に送り届けるようにするユーザ・メーカの受発注システムを考えた。【００１０】  色々な商品をインターネットを使って発注するビジネスモデルについてはもちろん知られている。その代金の支払いや発注に当たって商品を画面上に表示し、ユーザの商品選択の手助けをするといったことも知られているが、ユーザ自らが注文するに当たって、その注文製品の原材料となる廃棄物を提供することを条件とする仕組みは知られていない。
【発明の効果】
【００１１】  本発明のビジネスモデルを用いれば、これまで使用や利用が終われば廃棄物として捨てていた消費者・ユーザに、それらが再商品化が可能であり、再商品化に当たっての資源として活用可能であることをまず知らせることが出来る。その上で、ユーザがインターネットを介して、これらの再生化商品を購入するためには自らこれまでは廃棄していたものをこの循環利用の流通システムに資源としてのせて行く必要が生じるため、商品購入を通して、循環型社会の形成に寄与して行くことになる。【００１２】  本願では、このように今までは廃棄されていた物を再商品化のための多様な技術やデザイン努力を条件に再商品を魅力ある商品として作り上げ、消費者・ユーザにその商品を購入したいとする動機付けを行いつつ、ユーザが個人として簡単に、希望に沿った形で商品購入が出来るようにした。こうした結果、ごみ・廃棄物として捨てられ、その処分によって環境負荷を与えることを少なくするといった面の効果もある。
【発明を実施するための最良の形態】
【００１３】  以下、本願発明を図面に基づぎ説明する。図１は本願発明に基づくビジネスモデルを説明するブロック図である。２はユーザ、４はユーザが利用するＰＣ・携帯電話などの端末機器、６はインターネット、７はメーカ、８はメーカの利用する端末機器、１０は廃棄物、１２は宅配や郵送などの搬送システム、１４は製造工程、１６は廃棄物を基にして作った原材料、１８はその原材料で作った規格品、２０はその原材料で作ったオリジナル製品、２２は入金、２４はその受付、３０は搬送システムである。【００１４】  消費者（ユーザ）はこれまで使用や利用が終わった陶磁器やテレホンカード、衣服、カバン、牛乳パックなどは廃棄物として捨ててきた。ところが、これらを基にして別の再商品として甦らせるメーカがあれば、廃棄物を資源として生かすことが出来る。そこで作られるものがかなり特殊なものであっても、インターネットで受発注できる仕組みがあれば商品販売が可能となり、時間の経過の中で静脈産業型の大きな商品流通に発展することもあり得る。【００１５】  ユーザ（２）は自分がこれまで使用済みの後に廃棄するだけだったものが、再商品化されることを知り、端末機器（４）を通して、インターネット（６）で再商品化をメーカ（７）に依頼する。それと同時に「廃棄物」（１０）をメーカ（７）に対して搬送（１２）する。メーカ（７）はインターネット（６）を介してユーザの発注内容をメーカの端末機器（８）で受け付け、ユーザ（２）からの入金（２２）を受付（２４）した後、その指示内容に基づき、製造（１４）に入り、原材料ａ（１６）、規格品ｂ（１８）、オリジナル製品ｃ（２０）を作る。請求項１に示した製品Ａは、ここで言う原材料ａであり、製品Ｂは規格品ｂ及びオリジナル製品Ｃにあたる。そして、それをユーザ（２）に搬送する。【００１６】  廃陶磁器については図２で説明するが、例えばテレホンカードの場合、メーカ（７）は使用済みを示すパンチ穴を埋め、印刷を削り、無地のカードに戻したのが原材料（ａ）にあたる。この無地のカードにこのメーカ（７）が手持ちの画像の中から印刷して、磁気メモリを付与するのが規格品（ｂ）にあたり、ユーザが送ったオリジナルデザインで作ったカードがオリジナル製品（ｃ）となる。【００１７】  衣服の場合、ユーザ（２）が例えば毛糸製品だけを分別してメーカ（７）に搬送（１２）し、毛糸の色抜きをし、毛糸に戻したのが原材料（ａ）とし、これをメーカ（７）がもつデザインの画像の中から選んで、この原材料（ａ）で作った毛糸製品が規格品（ｂ）となり、ユーザ（２）がオリジナルに作ったデザインで毛糸製品を作らせたものがオリジナル製品（ｃ）となる。【００１８】  カバンも、皮革製品に限定してユーザ（２）が分別し、毛糸製品と同様にメーカ（７）が再商品化処理し、紙パックの場合もこれを無地の和紙としたのが原材料（ａ）で、これに色付けした紙が規格品（ｂ）、オリジナル製品（ｃ）となる。【００１９】  いずれも一定量を取り扱い、これまで廃棄されて来た「廃棄物」（１０）をメーカ（７）に送ることを条件に、この仕組みが作動するようにすれば、これまで廃棄されていたものの再商品化の一つの動機付けとなる。もちろん廃棄物が分別され、資源として���収でき、メーカサイドがその確保に困ることがなくなれば、ユーザ（２）は自ら廃棄物（１０）を出すことなく発注することもできる。【００２０】  図２は本発明の廃棄物を廃棄陶磁器とした時の仕組みを説明する為のブロック図であり、３２はユーザ、３３はメーカ、３４は廃陶磁器、３５はインターネット、３６は乾式粉砕装置、３８は長石、４０は粘土、４２は遠心分離機・デカンタ、４４はボールミル、４６は脱水装置、４８はエコロジー土、５０はインターネットによる注文で選択される製造プロセス、５２はオリジナル成型、５４は仮焼成、５６はオリジナル絵付、５８は焼成、６０は製品、６２は成型、６４はオリジナル絵付、６６は創作見本による成型、６８は創作見本による絵付である。【００２１】  ユーザ（３２）はメーカ（３３）のホームページを開き、インターネット（３５）によって発注をかける。発注を受注したメーカー（３３）は、ユーザ（３２）から送られてきた廃陶磁器（３４）を数１０μｍまで粉砕できるロールミル等の乾式粉砕装置（３６）でこれを粉砕する。その上で焼結温度を下げるための長石（３８）と可塑性を上げるための粘土（４０）を用意し、粘土（４０）はデカンダ（４２）を使用して可塑性を高める。これらをボールミル（４４）で撹拌し、脱水（４６）したのがエコロジー土（４８）となる。【００２２】  このエコロジー土（４８）は廃陶磁器（３４）の混入割合によって多少素材としての質が異なってくるが、普通は廃陶磁器（３４）が約５０％以上含んだものを標準品とする。ユーザ（３２）がこのエコロジー土（４８）をインターネットで注文した時にはこれをそのままユーザ（３２）に送ることになる。【００２３】  ユーザ（３２）がこのエコロジー土（４８）を原材料とした焼物の製品を欲しい時には、やはりインターネット（３５）を通し、発注することになるが、メーカ（３３）は、この注文内容をつかみ、製造プロセス（５０）の上で対応することになる。例えば、ユーザ（３２）が成型品自体をオリジナルなものとして注文するときには、このオリジナルなデザインをデジカメなどでユーザ（３２）からメーカ（３３）にインターネット（３５）を通して送り、これに基づきメーカ（３３）が作ることになる。【００２４】  成型品については、全くオリジナルなものを作るオリジナル成型（５２）、既製品の中から選んだものを作る成型（６２）、創作見本の中から選んだものを作る創作見本成型（６６）があり、これらを約８００℃で仮焼成（５４）する。釉薬を施釉しながら絵付けをするにあたっても、同様に、オリジナル絵付（５６）、既製品の中からデザイン選択する絵付（６４）と、それに創作見本から選択する絵付（６８）があるが、これらはユーザ（３２）の指示に基づき、メーカ（３３）で絵付けした上で約１１５０℃で本焼成（５８）し、既製品として仕上げることになる。【００２５】  図３は本願発明に基づき、廃棄陶磁器の再商品化の受発注システムをインターネット上のシーケンスとして説明した図である。メーカのホームページを開いた上で、開始（７０）をクリックすると選択メニュー（７２）があり、エコロジー粘土（７４）、既製品（７６）オリジナル製品（８０）の３つからユーザは自分の希望に基づき��択する。【００２６】  既製品（７６）を選択すると画像情報ＤＢ（７８）から情報が送られ、この情報を切り替えて確認しながらユーザが選択することになる。オリジナル製品（８０）を選択した時にはどのような製品、例えばお皿、コーヒーカップ、他の種類などを種類選択（８２）で選択した上で、コース選択（８４）に入る。【００２７】  コース選択（８４）では、作家おまかせ（８６）、創作見本選択（８８）、デザイン提供（９０）の選択肢があり、作家おまかせ（８６）では、求める注文内容を示した後、陶芸作家を選んでおまかせする。創作見本選択（８８）では、作家や、このシステムを使い作品を完成させ、その作品デザインを他人が使用してもよい（有償）とする素人作家の作品からよいものを選ぶことになる。デザイン提供（９０）では、ユーザ（９２）がデザイン（９４）したものを、デジカメ（９６）などに撮り、これを画像としてメーカサイトに送り、そのデザインで作ってもらうコースである。【００２８】  コース選択（８４）が終わると、その選択内容に対応し、料金表示（９８）がなされ、その料金を見て注文（１００）するかどうかを決めることになる。料金が予算額を超えた時には、コース選択（８４）に戻り、選択し直すことになる。金額が納得すれば納入期日表示（１０２）を確認し、廃陶磁器の送付に際して付ける番号表示（１０４）を確認（１０６）し、入力記録データ（１０８）を確認する。【００２９】  料金表示（９８）はエコロジー粘土（７４）を選択した時、その注文量や既製品（７６）を注文した時の数量に対応しても行われる。【００３０】  図２に本願発明のベースとなっている廃陶磁器を５０％以上含むエコロジー土は、通常の陶磁器の焼成温度が１３００℃に対し、１１５０℃という低温焼成で焼結させることが出来る。そのため、釉薬も今まで使えなかった釉薬を使い、色合いを増すことや１３００℃焼成のこれまでの作り方ではくすんでしまった色を描出することが可能となり、杯土としての価値が高まった。つまり、リサイクル食器は、▲１▼廃出ユーザや市町村から見ると、ごみを資源に生かすことになり、その処分費が不要となり、▲２▼メーカーから見ると、低温焼成によってエネルギーの省力化が計られ、使用色合いが増すことによって、デザインのバリエーションが増えることになる。本発明は陶磁器のリサイクルで作った食器などが従来にない魅力を備えることにより、ユーザがこうした陶磁器を手に入れたいとすることを誘導条件とし、成り立つものである。【００３１】  本発明は図３のような形でインターネットを使って注文されるが、この注文に対応したメーカサイドの生産体制としては、例えば、既製品（７６）の注文、作家おまかせ（８６）、創作見本（８８）、デザイン提供（９０）などの区分ごとに生産拠点を作り、注文内容を自動的に振り分け、それぞれの拠点で生産し、製品として完成させるような生産システムを用意することも考えられる。【００３２】  なお、本願発明は図面で説明した実施例に限定されるものではない。
【図面の簡単な説明】
【００３３】
【図１】は本願発明を説明する為のブロック図である。
【図２】は廃棄物を廃陶磁器としたときの本発明の仕組みを説明する為のブロック図である。
【図３】はインターネット上のシーケンスで本発明を説明した図である。
【図１】
2006113995.tif 000003
【図２】
2006113995.tif 000004
【図３】
2006113995.tif 000005